(57)【要約】【課題】  ペットを乗せるときに要する介護者の負担重量を軽減でき、成人一人で乗せることができる大型ペット用車椅子を低価格で提供する。【解決手段】  主要部を、下方に車輪を有するフレームとフレームへの着脱を自在にしたペットホルダとフレーム上方中ほどに配設したペットホルダ支持具とで構成し、フレームを前後任意に傾けてもペットホルダ支持具に掛けたペットホルダが水平を保つ構造にし、ペットの乗せ降ろしの開始を、ペットが伏せた姿勢のときに、フレームをほぼ水平に倒して行い、次にフレーム上端を持上げて立て、走行姿勢にする。【選択図】図１
2009219477.tif 000002
【特許請求の範囲】
【請求項１】
要部を、ペット体を下から抱えるように保持する役目をするもの（以下、ペットホルダと称する。）と、このペットホルダを取付け支えるための車輪付き骨組み（以下、フレームと称する。）、およびフレーム上方の中ほど（梃子の作用点に相当）に設けたペットホルダ支持具で構成する。ペットホルダ支持具はペットホルダを点支持する機能を有する。ペットホルダは両端に掛具を備え、ペットホルダ支持具に着脱自在かつペットホルダ支持具に支持された状態ではフレームを前後任意に傾けても水平を保つ。使用の際は、まず、ペットの伏せ姿勢時にペットホルダをペット体下部に仮装着し、次にフレームをペットにまたがせた状態でほぼ水平に倒し、次にペットホルダの掛具の先端をペットホルダ支持具に掛けてペットホルダの装着を完了させ、最後にフレームの上端梁を持上げてフレームを立位の通常稼動姿勢にしてペット乗せを完了させることによって、ペットを乗せるときに要するペット介護者の負担重量を軽減できるようにした、大型ペット用車椅子。
【請求項２】
イ．フレームの上端梁の下方に支持梁を固定設置する。ロ．支持梁の下方に可動梁を上下移動可能に配設する。ハ．可動梁の両端付近外周に、ペットホルダ支持具を滑動可能に配設する。ニ．支持梁と可動梁の双方に高さ調整ネジを一対貫通させる。ホ．高さ調整ネジの上部に、上下調整用ナットを一対螺着する。ヘ．両端に掛具を備えた着脱自在のペットホルダを有する。  以上のように構成した［請求項１］記載の大型ペット用車椅子。
【請求項３】
イ．フレームの上端梁の下方に支持梁を固定設置する。ロ．支持梁の下方に可動梁を上下移動可能に配設する。ハ．可動梁の両端付近外周に、ペットホルダ支持具を滑動可能に配設する。ニ．ペットホルダ支持具の内側に緩衝用バネを一対、配設する。ホ．支持梁に、下端に懸架機能部を持つ高さ調整ネジを一対貫通させる。ヘ．高さ調整ネジの上部に、上下調整用ナットを一対螺着する。ト．高さ調整ネジの懸架機能部に、緩衝用バネの上端を懸架させる。チ．両端に掛具を備えた着脱自在のペットホルダを有する。  以上のように構成した［請求項１］記載の大型ペット用車椅子。
【発明の詳細な説明】
【技術分野】
【０００１】  本発明は自力歩行や自力立位保持が困難な犬等の四足ペットのうち、体重が数１０キロ以上にもなる大型ペットを対象とする車椅子に関する。
【背景技術】
【０００２】  従来の技術に、特開２００３−９７０４、特開２００５−２２９９４７がある。前者は４輪、後者は２輪である。
【発明の開示】
【発明が解決しようとする課題】
【０００３】  代表的なペットである犬を例にとれば、ラブラドールレトリーバーの体重は２７〜３５ｋｇ、グレートデンなら６０〜８０ｋｇにもなる。それゆえ余程の怪力の持ち主でもないかぎり、一人で持上げることは容易でない。前記特開２００３−９７０４、特開２００５−２２９９４７は双方共、ペットを乗せるときに要する介護者の負担重量が軽減される構造にはなっていない。それでも前者は、サドル部分が着脱自在なので大型ペットにも適応できるが、ペットを一人で乗せることは難しい。また、後者はサドルが外せないので、そのサドル高さを３０ｃｍ、ペットの脚長を３０ｃｍとすれば、ペットを乗せる際に介護者は、最低でも６０ｃｍ以上はペットの下半身を抱え上げなければならない。これは、一人では不可能に近いし、二人がかりでも簡単ではない。したがって、老弱大型ペットの散歩や介護は、飼い主や介護者にとっては大きな問題となっている。【０００４】  本発明の課題は上記問題であり、ペットを乗せるときに要する介護者の負担重量を軽減できるようにして、成人一人で乗せることができる大型ペット用車椅子を低価格で実現し、困難な老弱大型ペットの散歩や介護を容易にすることを目的としている。
【課題を解決するための手段】
【０００５】  一般的に、ペット用車椅子の主要部は、ペット体を下から抱えるように保持する役目をするもの（以下、ペットホルダと称する。）と、このペットホルダを取付け支えるための車輪付き骨組み（以下、フレームと称する。）とで構成されている。本発明は、ペットの持上げ高さを低くするために、フレームへの着脱を自在にしたペットホルダを、ペットが伏せた状態（以下、伏せ姿勢という。）またはそれに近い姿勢のときにペットへ装着し、さらに、持上げに要する労力を小さくするために、支点をフレーム下端の車輪とし、フレーム上方の中ほど（梃子の作用点に相当）に設けたペットホルダ支持具にペットホルダを掛け、フレーム上端が力点となるように構成し、さらに、掛けたペットホルダが、フレームを傾けても常に水平状態を保つ構造にした。【０００６】  フレームの通常姿勢（稼動姿勢）は立位である。以下に後肢障害犬を例にとって使用手順を記す。対象犬は伏せ姿勢状態とする。（１）フレームを犬の上にまたがせて立てる。（２）ペットホルダを犬の後腹部下にもぐらせる。または、後肢をペットホルダに通す。（３）フレームを犬とほぼ平行になるまで後ろに倒す。（４）フレームに設けたペットホルダ支持具（梃子の作用点に相当）に、ペットホルダの掛具を掛ける。なお、このペットホルダは、フレームが傾いても常に水平状態を保つ構造にしてある。（５）フレームの上端（梃子の力点に相当）をつかんで持上げ、フレームを立位に戻す。以上で対象犬後半身の乗車は完了する。対象犬を本発明から降ろすときは、まず、対象犬の足か腹部が地面に付くまでフレームを後に倒す（この状態になるとペットホルダへかかる対象犬の重量が無くなる）。次にペットホルダをフレームから外す。最後にペットホルダを対象犬から外す。これで、対象犬の乗車と降車は完結する。【０００７】  前肢障害犬に使用する場合は上記［０００６］節の手順と基本的には同じであるが、同（３）項の「後ろに倒す。」を、前に倒すと変えればよい。また、本発明を２台用意して前後に対向させ、対象ペットを乗せた後に双方のサイドアーム同士を連結すれば、四肢障害ペットにも使用できる。
【発明の効果】
【０００８】  本発明の車椅子になら、３０ｋｇ前後の大型ペットであっても成人女性が一人で乗せることができるので、従来は不可能に近かった大型老・病犬の散歩が可能になる。さらに、本発明は室内でも使えるので給餌や介護にも役立ち、介護者の労力軽減はもちろん、従来なら介護困難で安楽死の運命にあったペット達の命も救うことができる。このように、本発明の利便効果には大きなものがある。
【発明を実施するための最良の形態】
【実施の形態１】
【０００９】  この実施の形態は後肢障害ペット用に最も構造簡単に実施した例であって、図１は使用状態の側面図、図２は使用状態の背面図、図３はペット乗車開始時または降車開始時の側面図である。フレーム１は金属材を逆Ｕ字状に曲げるか、縦と横に組み合せて作り、下端部に車輪３を有する。図は、一本の金属管を曲げて形成した例である。フレーム１の上方中ほどの内側左右に、ペットホルダ支持具２を一対配設する。ペットホルダ支持具２は、ペットホルダ４の掛具４ａを点支持で外れないように吊る機能を有する。図４と図５はフレーム１へ着脱自在なペットホルダ４の展開図を示し、図４は腹部吊上げ用で、布やネットで形成する。図５は脚付け根吊上げ用である。双方とも両端には掛具４ａを具備する。この掛具４ａは点支持をされる機能（以後、被点支持機能と略記）を有する。ペットホルダ支持具２に点支持機能、掛具４ａに被点支持機能をもたせる理由は、フレーム１を、ペットホルダ４をペットホルダ支持具２に掛けた状態で前後にどのように傾けても、ペットホルダ４が常に水平状態を保つようにするためである。ペット乗車開始時または降車開始時には図３のようにフレーム１をほぼ水平状態に倒すので、そのときにペットホルダ４が水平にならなかったら、ペットへの着脱ができなくなるからである。図３で解るように、作用点Ｂは支点Ａと力点Ｃのほぼ中間にあるので、Ｃを持上げる力（介護者の負担重量）はペット後半部重量の半分でよくなる。
【００１０】  ペットホルダ４の本体部４ｂは柔軟性を有しているのでペット体下部にフィットする。掛具４ａは金属丸棒を曲げて作る。その頂点内側４ｃが、ペットホルダ支持具２に掛けられて点支持される。ペットホルダ支持具２は、金属棒製で外れ防止つばを有する。
【００１１】  フレーム１には、ペット体上半カバー６を付設したサイドアーム５を配設する。このペット体上半カバー６は、ペットを緩縛する役目と、フレーム１の前倒を防ぐ役目をするが、ペットの乗降の際に外す必要はない。さらにサイドアーム５には、両端末が着脱自在な腹部緩縛帯７（これはフレーム１の後倒を防ぐ役目もする）を付設する。なお、この実施例は、前後を逆にすれば前肢障害ペットに使用でき、さらにサイドアームを短縮した２台を前後に対向させ、ペットを乗せてから双方のサイドアーム同士を連結すれば、四肢障害ペットにも使用できる。
【実施の形態２】
【００１２】  この実施の形態は、主に室内でのリハビリや給餌、排泄、介護用にコンパクトに構成したもので、［実施の形態１］からサイドアーム５、ペット体上半カバー６および腹部緩縛帯７を省き、車輪を追加して４輪としたものであり、ペットへの装着が簡単な利点もある。使用状態の側面図を図６に示す。これは４輪のうち、前２輪を自在車にした例である。
【実施の形態３】
【００１３】  この実施の形態は、実施の形態１または実施の形態２に、ペットを吊下げたままで簡単にその吊下げ位置を上下調整できる機能を追加したものであり、その背面図を図７に示す。イ．フレーム１の上端梁１ａの下方に支持梁１ｂを固定設置する。ロ．支持梁１ｂの下方に可動梁１ｃを上下移動可能に配設する。ハ．可動梁１ｃの両端付近の外周に、ペットホルダ支持具２ａを滑動可能に配設する。    この場合のペットホルダ支持具２ａは、金属棒で図８のように形成する。ニ．可動梁１ｃ上にはストッパーを設け、ペットホルダ支持具２ａの横移動を規制する。ホ．支持梁１ｂと可動梁１ｃの双方に高さ調整ネジ８を一対貫通させる。ヘ．高さ調整ネジ８の上部に、上下調整用ナット９を一対螺着する。ト．実施の形態１と同様のペットホルダ４を有する。  以上のように構成する。
【実施の形態４】
【００１４】  この実施の形態は、実施の形態３に走行時における緩衝機能を追加したもので、その背面図を図９に示す。イ．フレーム１の上端梁１ａの下方に支持梁１ｂを固定設置する。ロ．支持梁１ｂの下方に可動梁１ｄを上下移動可能に配設する。ハ．可動梁１ｄの両端付近の外周に、ペットホルダ支持具２ａを滑動可能に配設する。ニ．ペットホルダ支持具２ａの内側に緩衝用バネ１０を一対、配設する。ホ．支持梁１ｂに、下端に懸架機能部１１ａを有する高さ調整ネジ１１を一対貫通させる。ヘ．高さ調整ネジ１１の上部に、上下調整用ナット９を一対螺着する。ト．高さ調整ネジ１１の懸架機能部１１ａに、緩衝用バネ１０の上端を懸架させる。チ．実施の形態１と同様のペットホルダ４を有する。  以上のように構成する。
【実施の形態５】
【００１５】  この実施の形態は、フレームの縦部材１ｅと横部材（梁）１ａ、１ｂ、１ｃまたは１ｄとを井桁状に組んで、ペットの体幅・体高に応じて、フレームの幅と高さおよびペットの吊り位置を大幅に変えられるようにしたもので、上記実施の形態の全てに対応・付加できる機能と構造である。図１０に、他部品を省略したフレームの枠組だけを示す背面図、同じく図１１に平面図を示す。１ｆは緊結金具で上下左右可動であるが、位置決め後にネジや接着剤で位置固定をする。緩結金具１ｇは可動梁１ｃまたは１ｄ用なので縦部材１ｅの外周を上下にだけ滑動し、フレーム幅決め後には左右不動にできる機能を有する。
【産業上の利用可能性】
【００１６】  四足ペットという動物は、前肢が立てないと（つまり立位になれないと）自力では飲食ができなくなる。また、後肢で体重を支えられないと排泄がうまくできなく、いわゆる垂れ流し状態になる。もし、車椅子が有っても乗せることができなければ、ペットを飲食させるためには、介護者はペットの頭部を抱え上げなければならないし、後肢が弱っていれば排泄の都度、介護者は後腹部を抱え上げなければならない。軽量ペットならまだしも、重量ペットを相手に、このような介護作業を続けることは事実上不可能といえる。結果として介護者は腰を痛め、疲労困憊し、愛するペットには安楽死という運命が待っているのである。本発明は、このような悲劇的な現実を打開でき、その利用可能性は大きい。
【図面の簡単な説明】
【００１７】
【図１】は本発明実施の形態１の使用状態の側面図、
【図２】は同じく使用状態の背面図、
【図３】は同ペット乗車開始時または降車開始時の側面図である。図４、図５は、本発明実施の形態のすべてに使用するペットホルダの展開図を示し、
【図４】は腹部吊上げ用、
【図５】は脚付け根吊上げ用である。
【図６】は実施の形態２の側面図である。
【図７】は実施の形態３の背面図である。
【図８】は実施の形態３、４、５に使用するペットホルダ支持具２ａの拡大斜視図である。
【図９】は実施の形態４の背面図である。
【図１０】は実施の形態５のフレーム枠組だけの背面図、同じく
【図１１】は平面図である。
【符号の説明】
【００１８】１  フレーム１ａ  上端梁１ｂ  支持梁１ｃ  可動梁１ｄ  可動梁１ｅ  縦部材１ｆ  緊結金具１ｇ  緩結金具２  ペットホルダ支持具２ａ  ペットホルダ支持具３  車輪４  ペットホルダ４ａ  掛具４ｂ  本体部４ｃ  頂点内側４ｄ  空間部５  サイドアーム６  ペット体上半カバー７  腹部緩縛帯８  高さ調整ネジ９  上下調整用ナット１０  緩衝用バネ１１  高さ調整ネジ１１ａ  懸架機能部
【図１】
2009219477.tif 000003
【図２】
2009219477.tif 000004
【図３】
2009219477.tif 000005
【図４】
2009219477.tif 000006
【図５】
2009219477.tif 000007
【図６】
2009219477.tif 000008
【図７】
2009219477.tif 000009
【図８】
2009219477.tif 000010
【図９】
2009219477.tif 000011
【図１０】
2009219477.tif 000012
【図１１】
2009219477.tif 000013